(57)【要約】      （修正有）【課題】デジタルカメラ、デジタルビデオカメラなどのレンズ鏡筒の前面に装着されるフィルターにおいて、フィルターレンズの表面に歪みが生じる問題を解消したフィルターを提供する。【解決手段】フィルター枠２と、フィルター枠２に嵌合されるフィルターレンズ３と、フィルター枠２にねじ込んでフィルターレンズ３の周縁部８を押圧することによりフィルターレンズ３を固定する押え環４を具え、押え環４がフィルターレンズ３の周縁部８と当接する個所には樹脂部５が形成され、押え環４の樹脂部５によりフィルターレンズ３の周縁部８がフィルター枠２に押圧されフィルターレンズ３が押え環４とフィルター枠２との間に固定されるよう構成したことを特徴とする。【選択図】図１
0003227686.tif 000002
【実用新案登録請求の範囲】
【請求項１】
デジタルカメラ、デジタルビデオカメラなどのレンズ鏡筒の前面に装着されるフィルターであって、フィルター枠と、フィルター枠に嵌合されるフィルターレンズと、フィルター枠にねじ込んでフィルターレンズの周縁部を押圧することによりフィルターレンズを固定する押え環を具え、押え環がフィルターレンズの周縁部と当接する個所には樹脂部が形成され、押え環の樹脂部によりフィルターレンズの周縁部がフィルター枠に押圧されフィルターレンズが押え環とフィルター枠との間に固定されるよう構成したことを特徴とするフィルター。
【請求項２】
デジタルカメラ、デジタルビデオカメラなどのレンズ鏡筒の前面に装着されるフィルターであって、フィルター枠と、フィルター枠に嵌合されるフィルターレンズと、フィルター枠にねじ込んでフィルターレンズの周縁部を押圧することによりフィルターレンズを固定する押え環を具え、フィルターレンズがフィルター枠に嵌合したときフィルター枠がフィルターレンズの周縁部と当接する個所には樹脂部が形成され、押え環によりフィルターレンズの周縁部がフィルター枠に形成された樹脂部に押圧されフィルターレンズが押え環とフィルター枠との間に固定されるよう構成したことを特徴とするフィルター。
【考案の詳細な説明】
【技術分野】
【０００１】
本考案はデジタルカメラ、デジタルビデオカメラなどのレンズ鏡筒の前面に装着されるフィルターに関する。
【背景技術】
【０００２】
従来、デジタルカメラなどにおいては、レンズ前面に汚れやキズが生じるのを防止したり、光透過率を低減する（減光する）などの目的で、レンズ鏡筒の前面にフィルターが装着される。フィルターは、丸枠フィルターの場合には、円環状のフィルター枠に円板状のフィルターレンズを嵌合、固定して構成される。フィルター枠には、内側（裏側）にレンズ鏡筒に装着するための雄ネジ部が形成され、外側（表側）には他の関連部品を装着するための雌ネジ部が形成されている。
【０００３】
フィルター枠はアルミニウム合金などの金属材料や繊維強化プラスチックなどからなる高分子材料を成形加工して製作されており、フィルター枠へのフィルターレンズの取り付けは、フィルター枠にフィルターレンズを嵌合し、フィルター枠と同じ材料で成形された押え環を内側または外側からねじ込んでフィルターレンズを加圧し固定するリング止めと呼ばれる手法により行われている。
【０００４】
しかしながら、このような取り付け方式においては、フィルター枠に形成された雌ネジに沿って押え環が回転してフィルターレンズを押えるため、ネジの螺旋の傾きが押え環の平面性に影響してフィルターレンズの表面を均一に押えられない場合が少なくなく、フィルターレンズの表面に均一に負荷がかからないため、フィルターレンズの表面に歪みが生じ、フィルターを装着するカメラのレンズの解像度劣化の原因となるという問題がある。とくに望遠レンズにおいて画像の劣化が顕著となる。
【先行技術文献】
【特許文献】
【０００５】
【特許文献１】実願昭４９−４９８５７号（実開昭５０−１３８９３０号）明細書
【考案の概要】
【考案が解決しようとする課題】
【０００６】
本考案は、フィルターにおける上記リング止めの問題点を解消するためになされたものであり、その目的は、樹脂部分でフィルターレンズを押え、押え環の一部に集中して加わる力を分散平均化させることにより、フィルターレンズの表面に歪みが生じるのを防ぎ、レンズの解像度劣化の問題を解消することを可能としたフィルターを提供することにある。
【課題を解決するための手段】
【０００７】
上記の目的を達成するための請求項１によるフィルターは、デジタルカメラ、デジタルビデオカメラなどのレンズ鏡筒の前面に装着されるフィルターであって、フィルター枠と、フィルター枠に嵌合されるフィルターレンズと、フィルター枠にねじ込んでフィルターレンズの周縁部を押圧することによりフィルターレンズを固定する押え環を具え、押え環がフィルターレンズの周縁部と当接する個所には樹脂部が形成され、押え環の樹脂部によりフィルターレンズの周縁部がフィルター枠に押圧されフィルターレンズが押え環とフィルター枠との間に固定されるよう構成したことを特徴とする。
【０００８】
請求項２によるフィルターは、デジタルカメラ、デジタルビデオカメラなどのレンズ鏡筒の前面に装着されるフィルターであって、フィルター枠と、フィルター枠に嵌合されるフィルターレンズと、フィルター枠にねじ込んでフィルターレンズの周縁部を押圧することによりフィルターレンズを固定する押え環を具え、フィルターレンズがフィルター枠に嵌合したときフィルター枠がフィルターレンズの周縁部と当接する個所には樹脂部が形成され、押え環によりフィルターレンズの周縁部がフィルター枠に形成された樹脂部に押圧されフィルターレンズが押え環とフィルター枠との間に固定されるよう構成したことを特徴とする。
【考案の効果】
【０００９】
本考案によれば以下の効果が達成される。
（１）樹脂部でフィルターレンズを押えることにより、押え環の一部に集中して加わる力が分散平均化され、フィルターレンズの表面に歪みが生じるのを防ぎ、レンズの解像度の劣化が防止される。
（２）表面に歪みがなくレンズの解像度を劣化させることがないフィルターが得られるから、近年、デジタルカメラなどにおいてレンズの保護や付加特性のために装着することが不可欠となってきたフィルターについて大きな改善効果が達成される。とくに望遠レンズのフィルターの場合に有効である。
【図面の簡単な説明】
【００１０】
【図１】フィルター枠とフィルターレンズと押え環を具えて構成される本考案によるフィルターの要部断面図であり、実施形態１（Ａ）を示す。
【図２】同じく、実施形態１（Ｂ）を示す。
【図３】同じく、実施形態２を示す。
【図４】同じく、実施形態３（Ａ）を示す。
【図５】同じく、実施形態３（Ｂ）を示す。
【考案を実施するための形態】
【００１１】
以下、本考案のフィルターを図面に基づいて説明する。本考案によるフィルターはデジタルカメラ、デジタルビデオカメラなど撮像機器のレンズ鏡筒の前面に装着されるフィルターであり、円板状のフィルターレンズが取り付けられる丸枠フィルターに係るものである。
【００１２】
本考案によるフィルターは、フィルター枠と、フィルター枠に嵌合されるフィルターレンズと、フィルター枠にねじ込んでフィルターレンズの周縁部を押圧することによりフィルターレンズを固定する押え環を具え、押え環がフィルターレンズの周縁部と当接する個所またはフィルター枠がフィルターレンズの周縁部と当接する個所には樹脂部が形成されている。
【００１３】
フィルター枠および押え環はアルミニウム合金などの金属材料や繊維強化プラスチックなどからなる高分子材料を成形加工して製作されており、樹脂部を構成する樹脂は、種々の樹脂を適用することができるが、とくに、シリコン樹脂、変性シリコン樹脂などの弾性樹脂を適用するのが好ましく、必要に応じて充填剤、可塑剤、接着性向上剤などが配合される。押え環またはフィルター枠に形成される樹脂部は樹脂の塗布、樹脂シートの貼り付け、樹脂の充填、環状樹脂パッキングの埋め込みなどにより形成される。
【００１４】
実施形態１：
図１（ａ）、図２（ａ）に示すように、実施形態１のフィルター１は、フィルター枠２にねじ込んでフィルターレンズ３の周縁部８を押圧する押え環４を外側（表側）からねじ込むものであり、押え環４がフィルターレンズ３の周縁部８と当接する個所に樹脂部５が形成されている。６はレンズ鏡筒に装着するための雄ネジ部、７は他の関連部品を装着するための雌ネジ部である。
【００１５】
実施形態１（Ａ）（図１に示す）においては、図１（ｂ）に示すように、押え環４がフィルターレンズ３の周縁部８と当接する個所に環状の凹部９が設けられ、凹部９に樹脂の充填、環状樹脂パッキングの埋め込みなどにより樹脂部５が形成される。また、実施形態１（Ｂ）（図２に示す）においては、図２（ｂ）に示すように、押え環４がフィルターレンズ３の周縁部８と当接する個所に樹脂の塗布、樹脂シートの貼り付けなどにより樹脂部５が形成される。
【００１６】
押え環４をフィルター枠２にねじ込んだとき、押え環４の樹脂部５によりフィルターレンズ３の周縁部８がフィルター枠２に押圧されフィルターレンズ３が押え環４とフィルター枠２との間に固定される。樹脂部５でフィルターレンズ３を押えることにより、押え環４の一部に集中して加わる力が分散平均化され、フィルターレンズ３の表面に歪みが生じるのを防ぎ、フィルターが装着されるカメラのレンズの解像度の劣化が防止される。
【００１７】
実施形態２：
図３（ａ）に示すように、実施形態２のフィルター１は、フィルター枠２にねじ込んでフィルターレンズ３の周縁部８を押圧する押え環４を内側（裏側）からねじ込むものであり、押え環４がフィルターレンズ３の周縁部８と当接する個所に樹脂部５が形成されている。
【００１８】
実施形態２においては、図３（ｂ）に示すように、押え環４がフィルターレンズ３の周縁部８と当接する個所に環状の凹部９が設けられ、凹部９に樹脂の充填、環状樹脂パッキングの埋め込みなどにより樹脂部５が形成される。
【００１９】
押え環４をフィルター枠２にねじ込んだとき、押え環４の樹脂部５によりフィルターレンズ３の周縁部８がフィルター枠２に押圧されフィルターレンズ３が押え環４とフィルター枠２との間に固定される。
【００２０】
実施形態３：
実施形態３のフィルター１は、実施形態１および実施形態２のように、押え環がフィルターレンズの周縁部と当接する個所に樹脂部を形成するものではなく、図４、図５に示すように、フィルターレンズ３がフィルター枠２に嵌合したときフィルター枠２がフィルターレンズ３の周縁部８と当接する個所に樹脂部５を形成するものであり、図４に示す形態は押え環４を外側（表側）からねじ込むものであり、図５に示す形態は押え環４を内側（裏側）からねじ込むものである。
【００２１】
樹脂部５は樹脂の充填、環状樹脂パッキングの埋め込みなどにより形成され、押え環４をフィルター枠２にねじ込んだとき、押え環４によりフィルターレンズ３の周縁部８がフィルター枠２に形成された樹脂部５に押圧されフィルターレンズ３が押え環４とフィルター枠２との間に固定される。
【００２２】
以上、本考案の実施形態を例示したが、これらは本考案の一実施態様を示すものであり、例えば、押え環がフィルターレンズの周縁部と当接する個所およびフィルター枠がフィルターレンズの周縁部と当接する個所の両方に樹脂部を形成することもできるなど種々の改変を行うことができる。
【符号の説明】
【００２３】
１  本考案のフィルター
２  フィルター枠
３  フィルターレンズ
４  押え環
５  樹脂部
６  雄ねじ部
７  雌ねじ部
８  フィルターレンズの周縁部
９  樹脂部を形成するための凹部
【図１】
0003227686.tif 000003
【図２】
0003227686.tif 000004
【図３】
0003227686.tif 000005
【図４】
0003227686.tif 000006
【図５】
0003227686.tif 000007